(57)【要約】  構造の基礎（１）。基礎（１）は、設置中に挿入方向に土壌に挿入するための本体（２）を有する。本体（２）の遠位端には、つま先（８）を有する。つま先（２）は、内部空洞（１５）内に開口部（１１）を画定する。土壌を通るつま先（２）の動きは、土壌を横方向に、内部空洞（１５）内の移動された土壌領域へと移動させる。移動された土壌領域から土壌を移送するために、設置中に移動された土壌領域に流体を向ける１つまたは複数のノズル（１０）が提供される。移動された土壌領域内の土壌懸濁液圧力を低減するために、設置中に内部空洞（１５）から流体を排出するためのポンプシステム（２４）も提供される。【選択図】図１
2021523312.tif 000002
【特許請求の範囲】
【請求項１】
構造の基礎であって、
設置中に挿入方向に土壌に挿入するための本体であって、前記本体がその遠位端につま先を有し、前記つま先が内部空洞内に開口部を画定し、前記土壌を通る前記つま先の移動が前記内部空洞内の移動された土壌領域へと土壌を横方向に移動させる、本体と、
前記移動された土壌領域から土壌を移送するために、設置中に前記移動された土壌領域に流体を向ける１つまたは複数のノズルと、
前記移動された土壌領域内の土壌懸濁液圧力を低減するために、設置中に前記内部空洞から流体を排出するためのポンプシステムと、を含むことを特徴とする基礎。
【請求項２】
前記ポンプシステムが、前記内部空洞から水を排出する、請求項１に記載の基礎。
【請求項３】
前記ポンプシステムが、前記内部空洞から空気を排出する、請求項１または２に記載の基礎。
【請求項４】
前記移動された土壌領域内の前記土壌懸濁液圧力を、前記本体外側の前記土壌である隣接領域内の流体圧力に実質的に一致させるために、設置中に前記ポンプシステムを制御するためのコントローラーをさらに含む、請求項１ないし３のいずれか１項に記載の基礎。
【請求項５】
前記コントローラーが、前記ポンプシステムを制御して、前記内部空洞内のウォーターテーブルの高さを前記本体の外側の水位よりも下方に減少させる、請求項４に記載の基礎。
【請求項６】
前記本体が、前記基礎の直径が増大する円錐状領域を含む、請求項１ないし５のいずれか１項に記載の基礎。
【請求項７】
前記基礎が中空の杭基礎である、請求項１ないし６のいずれか１項に記載の基礎。
【請求項８】
前記つま先が先細りである、請求項１ないし７のいずれか１項に記載の基礎。
【請求項９】
前記１つまたは複数のノズルが、前記本体の内部表面に流体を向けるために前記本体の外周に対して実質的に接線方向に向けられる、請求項１ないし８のいずれか１項に記載の基礎。
【請求項１０】
前記１つまたは複数のノズルが複数のノズルを含み、前記複数のノズルが前記本体の内部表面の周りに分配される、請求項１ないし９のいずれか１項に記載の基礎。
【請求項１１】
構造基礎システムであって、
請求項１ないし１０のいずれか１項に記載の基礎と、
前記流体を前記ノズルに供給するための加圧流体供給装置と、を含む、システム。
【請求項１２】
請求項１ないし１０のいずれか１項に記載の基礎を設置する方法であって、
前記つま先を前記土壌に挿入するステップと、
前記挿入方向に前記本体を押すステップと、
前記ノズルに前記流体を供給して、前記移動された土壌領域に前記流体を向けるステップと、
前記ポンプシステムを駆動して、前記流体を前記内部空洞から排出し、前記移動された土壌領域内の土壌懸濁液圧力を減少させるステップと、を含むことを特徴とする方法。
【請求項１３】
前記移動された土壌領域内の前記土壌懸濁液圧力を、前記本体外側の前記土壌である横方向に隣接する領域内の流体圧力に実質的に一致させるために、前記ポンプシステムを制御するステップをさらに含む、請求項１２に記載の方法。
【請求項１４】
前記ポンプシステムを制御するステップが、前記ポンプシステムを制御して、前記内部空洞内のウォーターテーブルの高さを前記本体の外側の水位よりも下方に減少させることを含む、請求項１２または１３に記載の方法。
【発明の詳細な説明】
【技術分野】
【０００１】
本発明は、構造のための基礎およびそれを設置する方法およびシステムに関する。特に、本発明は、建物、壁、洋上構造物、風車などの構造物を支持するために土壌に挿入することができる、杭、管状の杭、モノパイル、ジャケットパイル、吸引バケット／ケーソン基礎および吸引アンカー、スカート基礎、シート壁、バースドルフィン（ｂｅｒｔｈｉｎｇ  ｄｏｌｐｈｉｎｓ）、および他の種類の一時的および恒久的な浅いまたは深い基礎などの構造基礎に関する。吸引バケット／ケーソン基礎は、水深１００ｍまでの水深および強い土壌のジャケット構造の浅い基礎に最も適していることが理解されるであろう。吸引アンカーは、軟質堆積物で深海のフロート油プラットフォームを連結するアンカーチェーンに最適である。本発明は、特にオフショア基礎に、より具体的には、モノパイル、ジャケットパイルおよび吸引バケットなどの開放端管状基礎タイプに好適である。
【背景技術】
【０００２】
構造基礎は通常、杭打ち機を使用して基礎を地面の中に押し込み、一連の軸方向の衝撃を適用して、基礎を挿入方向に土壌の中へ打ち込むことによって設置される。一旦設置されると、基礎は、基礎本体の側面にかかる摩擦、および、より程度は低いが、基礎の先端でのさらなる貫通に対する抵抗によって軸方向に支持される。
【０００３】
設置中、基礎の遠位端にあるつま先（ｔｏｅ）は、それが下へと打ち込まれるときに土壌を移動させる。これにより、周囲領域の土壌が圧縮される。しかし、基礎が深く打ち込まれ、圧力が高まるにつれ、基礎のつま先で土壌を移動させ続けるために必要な力も増加する。同時に、土壌と接触する基礎の表面積が増加し、移動に対する摩擦抵抗を克服するために必要なせん断力が増加する。その結果、基礎が土壌の深部に設置されるにつれて、支持抵抗が増加する。
【０００４】
近年、モノパイル式および他の基礎が大きくなる傾向があり設置上の課題が深刻化している。例えば、より大きな基礎を杭打ちするには、より高い衝撃力および／またはより多数のハンマー打撃が必要である。これにより、基礎に著しい耐故障性要件が課される。同時に、大きな衝撃によって発生するノイズも増大し、環境や安全に重大な危険をもたらす。
【０００５】
上記に鑑み、基礎の設置を容易にするためのさまざまな方法およびシステムが提案されてきた。例えば、基礎本体に間隙水を誘引することで、杭設置時のシャフト抵抗を下げる機構として、電気浸透が提案されている。これにより、土壌と基礎表面との間の界面を潤滑する。しかし、この分野の研究は継続しているが、電気浸透があらゆる状況において適しているとは限らない。従って、基礎の設置中の設置抵抗を低減するための他の方法およびシステムに対するニーズが依然として存在する。
【０００６】
従って、本発明は従来技術が有する上記問題に対処することを求めたものである。
【発明の概要】
【０００７】
本発明の第一の態様によれば、設置中に挿入方向に土壌に挿入するための本体であって、本体がその遠位端につま先を有し、つま先が内部空洞内に開口部を画定し、土壌を通るつま先の移動が内部空洞内の移動された土壌領域に土壌を横方向に移動させる、本体と、移動された土壌領域から土壌を移送するために、設置中に移動された土壌領域に流体を向ける１つまたは複数のノズルと、移動された土壌領域内の土壌懸濁液圧力を低減するために、設置中に内部空洞から流体を排出するためのポンプシステムとを含む、構造の基礎が提供される。
【０００８】
このように、本発明は、より容易に設置され得る基礎を提供する。特に、移動された土壌領域への流体の送達は、堆積物をその領域から移送することを可能にし、それによって、新しい土壌がそこに移動されるときに領域が過度に圧縮されることを防止する。これにより、基礎のつま先における土壌支持破壊機構が継続することが可能になる一方、流体はまた、土壌と基礎本体との間の界面における摩擦を減少させる働きもする。同時に、ポンプシステムは、内部空洞から流体を排出するように作用する。例えば、空気、水および／またはその他のタイプの流体は、内部空洞の近位端からポンプで送り出され得る。これにより、次に、遠位に位置する移動された土壌領域内の土壌懸濁液圧力を低減し、それによって、土壌懸濁液圧力の増加が、本体が土壌のより深い所に貫通するにつれて、土壌支持破壊機構を抑制する影響を軽減する。結果として、流体キャリアおよび流体排出機構は相乗的に作用して、支持抵抗および内壁摩擦を減少させる。従って、杭打ちに対し必要とされる杭打ち力はより小さくなるので、発生するノイズが少なくなり、より小さい杭打ちハンマーが使用される。基礎が必要な深さまで設置されると、次いで、流体噴射システムをオフにして、流体が土壌から排出し、土壌が再安定化することを可能にし得る。さらに、請求項に記載の構成では、ノズルによって送達される流体は、基礎の内部空洞内に局在化され、その結果、外部土壌は、ほぼ乱されないままであり、設置されると、基礎に対してより安定した支持を提供する。
【０００９】
実施形態では、ポンプシステムは、内部空洞から水を排出する。このように、基礎の内部のウォーターテーブルの高さは、ウォーターテーブルから水を排出させることによって低減され得る。この点に関して、ポンプシステムは、内部空洞から水を引き出すための取水パイプを含んでもよい。
【００１０】
実施形態では、ポンプシステムは、内部空洞から空気を排出する。このように、吸引効果は、基礎の内部で生成された部分真空によって生成される。従って、これにより、基礎本体内のウォーターテーブルに印加される大気圧が低減され、次に、移動された土壌領域内の土壌懸濁液圧力を低下させる。
【００１１】
実施形態において、基礎は、移動された土壌領域内の土壌懸濁液圧力を、基礎本体の外側の土壌である隣接する領域内の流体圧力に実質的に一致させるために、杭設置中にポンプシステムを制御するためのコントローラーをさらに含む。このようにして、基礎つま先の浸食された表面の下の土壌における土壌懸濁液圧力と周囲水圧との間の差が最小化される。そのため、新しい土壌を土壌懸濁液に移動させるために必要な力は最小限に抑えられる。同時に、土壌領域間の圧力差は、周囲の土壌構造を損なわないように最小化される。
【００１２】
実施形態では、コントローラーは、ポンプシステムを制御して、内部空洞内のウォーターテーブルの高さを基礎本体の外側の水位よりも下方に減少させる。このように、土壌懸濁液圧力は、基礎本体内のその上方の水によって加えられる圧力を減少させることによって減少する。
【００１３】
実施形態では、本体は、基礎の直径が増加する円錐状領域を含む。このように、基礎の側壁の領域は、外向きに先細りして、拡大されたフットプリントを提供し得る。これは、この領域の内側と外側との間の圧力差の結果として、下向きの力を生成するために使用され得る。生成された下向きの力は、設置中の基礎の移動を補助し得る。
【００１４】
好ましくは、基礎は、中空の基礎として提供される。より好ましくは、基礎は中空杭基礎である。さらにより好ましくは、基礎はモノパイル式である。例えば、モノパイルは、環が内部空洞を画定する中空管状の本体を含んでもよい。
【００１５】
つま先は先細りであることが好ましい。このようにして、支持抵抗を最小化する。より好ましくは、つま先は、土壌を内側に移動させるために先細りになる。このようにして、土壌が基礎本体の内部に移動し、外部土壌を実質的に乱さないままとする。
【００１６】
実施形態において、本体は、円錐状領域を含む。このような配置では、ポンプシステムのポンプ速度を制御することによって、内部のより低い圧力に対して円錐状領域の外部のより高い流体圧力の間に圧力差が作られ得る。これにより、基礎の設置を支援する有益な下向きの力を生成し得る。
【００１７】
好ましくは、１つまたは複数のノズルは、本体の内部表面に流体を向けるために、基礎本体の外周に対して実質的に接線方向に向けられる。このようにして、流体は土壌を本体の内部表面との接触から遠ざけ、それによって界面を潤滑し、基礎を打ち込むために必要なせん断力を低減させ得る。
【００１８】
好ましくは、１つまたは複数のノズルは、挿入方向に対して６０〜１８０度である平面に配向される。このように、ノズルは、移動した土壌領域内の堆積物が、挿入方向に対して上方に、または近位に動くのを助け得る。低い角度では、土壌浸食を促進することによってこれを達成することができる。しかしながら、特に好ましい実施形態では、ノズルは、堆積物のこの上向きの動きを強化するために、実質的に水平面または水平面の上方に角度付けられた平面において流体流を方向付けるために、９０〜１８０度の範囲で挿入方向に向けられる。すなわち、ノズルを上向きに角度付けることによって、ノズルは、噴出される土壌表面上に作用する圧力を低減し、つま先の下の内向きの支持破壊をさらに容易にするのを助け得る。この点において、浸食された土壌は水より高い密度の懸濁液を形成し、それによって、浸食された表面下の土壌における周囲水圧と比較して、より高い懸濁液圧力をもたらす。これにより、懸濁液から土壌への水流を引き起こし、従って、設置抵抗を増加させる鉛直下向きの応力を引き起こす。故に、ポンプシステムは、土壌懸濁液圧力を減少させることによって、この影響を軽減する働きをする。一部の実施形態では、高圧噴射の少なくとも一部は、環内の懸濁液を持ち上げ、噴射前部の上方の懸濁液圧力を減少させるために上向きに面し得る。従って、これはまた、設置抵抗を減少させるのに役立つ。
【００１９】
実施形態において、１つまたは複数のノズルは、加圧流体供給装置によって流体が供給される。好ましくは、この加圧流体供給装置は、周囲流体圧力に対して１０バールを超え、より好ましくは周囲流体圧力に対して８０バールを超え、さらにより好ましくは周囲流体圧力に対して１００バールを超える。
【００２０】
実施形態では、一つまたは複数のノズルは、複数のノズルを含み、複数のノズルは、本体の内部表面の周りに分配される。このように、より均一な潤滑効果を提供するために、流体は土壌支柱の外周の周りに送達され得る。実施形態では、複数のノズルは、基礎の軸に沿って延在する本体の内部表面の領域上に分配される。
【００２１】
実施形態において、基礎は、移動された土壌領域の近位の土壌に流体を送達するための１つまたは複数の低圧ノズルをさらに含む。このようにして、堆積物移送流を移動された土壌領域から遠ざけることを促進するために、低圧流体流が提供され得る。
【００２２】
実施形態において、１つまたは複数の低圧ノズルは、複数の低圧ノズルを含み、複数の低圧ノズルは、本体の内部表面の周りに分配される。このように、流体は、基礎の環内により均一な上向きの堆積物移送流を提供するために、土壌支柱の外周の周りに送達され得る。
【００２３】
流体は、水を含むことが好ましい。流体は、例えば、海水、または水溶液もしくは懸濁液であり得る。例えば、土壌支柱崩壊のリスクを軽減するために、ベントナイトなどの粘度を増加させる添加剤を流体中に提供し得る。この点において、ノズルおよび／またはベントを通して送達される流体の圧力、流量および／または組成を制御して、土壌支柱の特性を管理し、それによってその崩壊のリスクを最小化するためのコントローラーが提供され得る。
【００２４】
本発明の第二の態様によれば、上記による基礎と、流体をノズルに供給するための加圧流体供給装置とを含む構造基礎システムが提供される。
【００２５】
本発明の第三の態様によれば、上記による基礎を設置する方法が提供されており、方法は、つま先を土壌に挿入するステップと、本体を挿入方向に移動させるステップと、流体をノズルに供給して、移動された土壌領域に流体を向けるステップと、ポンプシステムを駆動して、流体を内部空洞から排出し、移動された土壌領域内の土壌懸濁液圧力を減少させるステップとを含む。
【００２６】
好ましくは、本方法は、移動された土壌領域内の土壌懸濁液圧力を基礎本体の外側の土壌である横方向に隣接する領域内の水圧に実質的に一致させるように、ポンプシステムを制御するステップをさらに含む。このようにして、基礎のつま先の浸食された表面の下の土壌における土壌懸濁液圧力と周囲水圧との間の差が最小化される。
【００２７】
ポンプシステムを制御するステップは、ポンプシステムを制御して、内部空洞内のウォーターテーブルの高さを基礎本体の外側の水位よりも下方に減少させることを含むことが好ましい。
【図面の簡単な説明】
【００２８】
ここで、本発明の例示的実施形態を、添付図面を参照しながら説明する。
【図１】図１は、本発明の第１の実施形態による基礎の断面アイソメ図を示す。
【図２】図２は、図１に示される基礎の遠位端の内部表面の平面図を示す。
【図３】図３は、図２に示すノズルの拡大図を示し、（ａ）は、内部表面の平面図を示し、（ｂ）は、基礎本体を通る断面図を示す。
【図４】図４は、第１の実施形態による基礎本体の遠位端を通る断面概略図を示す。
【図５】図５は、本発明の第２の実施形態による基礎本体の遠位端を通る断面概略図を示し、（ａ）は、ウォーターテーブル制御なしを示し、（ｂ）は、ウォーターテーブル制御ありを示す。
【図６】図６は、本発明の第３の実施形態による基礎の断面概略図を示し、図（ａ）〜図（ｄ）は、設置の段階中の基礎を示す。
【発明を実施するための形態】
【００２９】
図１は、本発明の第１の実施形態による基礎の遠位端の領域の断面アイソメ図を示す。本実施形態では、基礎１は、モノパイル式である。
【００３０】
基礎１は、外部側面３と、ボア１５の形態の内部空洞を画定する内部側面４とを有する中空管状の本体２を含む。本体の遠位端は、開口部１１を画定し、内部ボア１５に向かって土壌を方向付けるための半径方向内側に面する先細り表面を有するつま先８を含む。
【００３１】
段差７は、摩擦断絶を提供するために、つま先８の遠位端の上方に外部側面３上にくぼみを形成するが、これは以下でさらに詳細に述べる。
【００３２】
図１に示すように、および図２の平面図において、基礎の内部には、それぞれが内部表面４を遠位に下方に延在し、高圧マニホールド９内に供給される複数の高圧供給パイプ６を有する流体噴射システムが提供される。各高圧マニホールド９は、ボア１５の周りに周方向に延在し、流体を複数のノズル１０に分配する。
【００３３】
本実施形態では、流体噴射システムは、それぞれ内部表面４を遠位に下方に延在し、低圧マニホールド１２内に供給される複数の低圧供給パイプ５をさらに含む。各低圧マニホールド１２は、ボア１５の周りに周方向に延在し、複数の低圧ノズルまたはベント１３を通して流体を分配する。
【００３４】
低圧マニホールド１２は、高圧マニホールド９の横方向平面の軸方向上方にある横方向平面に配置される。図２に最も明確に示されるように、高圧マニホールド９および低圧マニホールド１２は、使用中、ボア１１に位置する土壌支柱の外周の周りに流体を送達するために、それぞれのノズル１０およびベント１３が内部表面４の周囲で均等に離間するように、周方向に分布する。同時に、ベント１３は、水ノズル１０によって侵食された土壌から形成される土壌懸濁液に低圧流体を供給することができる。
【００３５】
図１に示すように、基礎の内部には、内部ボア１５の近位端に蓄積された流体を排出するために使用される排出ポンプシステム２４がさらに提供される。本実施形態では、ポンプシステムは、ポンプ（図示せず）に接続され、基礎設置中に内部ウォーターテーブルの下に位置し、ウォーターテーブルから水を抜くように構成される、排出パイプ２４を含む。
【００３６】
図３（ａ）は、図２に示すノズル１０および低圧ベント１３の拡大図を示す。図３（ｂ）は、ノズル１０が並ぶ基礎本体を通る断面図を示す。示されるように、ノズル１０は、基礎の挿入方向に対して９０度である横方向平面において、接線方向に方向付けられる。ノズル１０からの流体の流れは、基礎の内部表面４の上側に向けられる。さらに、各ノズル１０からの噴射は、隣接するノズルを左に取り囲むように方向付けられ（図示）、それによってノズルでの破片蓄積を防止する。
【００３７】
低圧ベント１３は、本実施形態では、半径方向内側に向けられ、基礎の挿入方向に対して５０度開いている。従って、低圧流体は、高圧マニホールド９の上方に位置する土壌懸濁液中に供給され得る。
【００３８】
図４は、端部が土壌に挿入されると、基礎本体２の遠位端を通る断面概略図を示す。基礎の環は、土壌支柱を画定する土壌懸濁液で充填される内部ボア１５を画定する。
【００３９】
設置中、つま先８は、土壌を通して挿入方向に軸方向に下向きに貫通する。段差７が、基礎本体２の外部表面３上の壁摩擦を最小化するための摩擦断絶として作用するように提供される。すなわち、土壌貫通中、段差７のすぐ上の外部表面３は、段差７によって提供される空間によって隣接する土壌から分離される。弾性半空間の弛緩により、土壌を外部表面７と接触させて基礎のさらに上方に戻し得るが、分離された領域はより低い摩擦抵抗を有する。設置が完了すると、土壌は、段差７によって形成された空間を埋めるために弛緩し、それによって基礎１の軸方向荷重支持能力を増加させる。また、ギャップは、環の外側表面を少しずつ下る堆積物で満たされる。杭を横向きに装填すると、この新しい堆積物が圧縮される。
【００４０】
つま先８が土壌を貫通するにつれ、その先細りはつま先の支持抵抗を減少させる働きをする。好ましくは、先細りの角度は、つま先の遠位先端の機械的強度を不当に損なうことなく、支持抵抗を最小に抑えるため、４０〜８０度の範囲内であり、さらに好ましくは４５〜７５度の範囲内であり、さらにより好ましくは５０〜６０度の範囲内である。
【００４１】
土壌は、基礎のつま先が、土壌を通って移動するにつれて、つま先の先細りによって半径方向内側に押し込まれる。従って、これにより、基礎本体２の遠位端に横方向に隣接する土壌が、土壌懸濁液で満たされたボア１５の底部で移動した土壌領域１４の中に移動する。基礎がさらに下方へと打ち込まれ続けると、新しい土壌が内向きに圧縮されるため、移動された土壌領域１４は実質的に下方にも拡張するであろう。従来の基礎では、これにより、時間の経過とともに、ボア１５がさらなる土壌で満たされ、より圧縮されるにつれて、さらなる土壌の移動を抑制することになる。これに対処するために、ノズル１０が、移動された土壌領域１４から土壌を除去するために、高圧、低流量の液体を送達するように作用する。
【００４２】
これに関連して、設置中、ノズル１０は、移動された土壌領域１４に高圧水のジェットを供給する。本実施形態では、水は、１００バールで高圧供給パイプ６を通してノズル１０に供給される。いくつかの実施形態では、給水は、粘度を増加させる添加剤または最も細かい粒子も含み得、これは次いで、ボア１５内の土壌支柱の周りにフィルターケーキを形成するのに役立ち得る。フィルターケーキは、より高い懸濁液圧力が土壌支柱に安定化力を加えることができるように、水バリアとして作用し得る。しかしながら、好ましくは、こうした添加剤は、これらのノズルの噴射効率に悪影響を与えることを回避するために、高圧ノズルではなく低圧ベントを通して供給される。ノズル１０の接線方向により、噴出した水が基礎本体２の内部表面４から土壌を押しのけ、従って、この表面上の摩擦を減少させる。同時に、高圧、低流、水ジェットは、移動された土壌領域１４の上の土壌を破壊し、懸濁して、上方堆積物移送のための高密度の土壌スラリーを形成するように作用する。これにより、移動された土壌領域１４から比較的上方に土壌を移動させ、従って、この領域の土壌が過度に圧縮されることを回避する。そのため、つま先８でのさらなる土壌の移動に対する抵抗の蓄積は最小化される。同時に、移動された土壌領域１４内で土壌が拡張するにつれて、噴出した水の一部が下向きに排水し、負の間隙圧力のバランスをとる。これはさらに、つま先８の支持抵抗を減少させる働きをする。ノズル１０の形状および方向は、上述の効果を最適化するために、高圧流体流の接線、垂直および水平の広がりを制御するように構成され得る。例えば、ノズル１０は、噴射ファンを作成するために、高圧自動車洗浄ノズル上に提供されるものと同様に、平坦な正方形形状を提供し得ることが想定される。
【００４３】
土壌懸濁液で充填された環内の上方への堆積物移送は、ベント１３からの低圧、高流量の液体の送達によってさらに強化される。本実施形態では、水またはベントナイト溶液は、低圧供給パイプ５を通して、最大５バールのゲージ圧力までベント１３に供給される。土壌支柱の崩壊のリスクを最小限に抑えるために、土壌スラリーの厚さを制御するために、流体送達速度を監視する。環内の土壌支柱が崩壊すると、流体移送チャネルが狭くなり、流体抵抗および内壁摩擦の増加により流体圧力が蓄積する。これにより、新しい流路が形成されない限り、過剰な摩擦が蓄積する可能性がある。しかしながら、高いスラリー密度を維持することによって、これを回避するのに十分な平衡圧が生成され得る。これをさらに助けるために、ベント１３から送達される液体は、粘度を増加させる添加剤または最も細かい粒子も含み得る。このように、土壌支柱は、フィルターケーキの存在または流体粘度の増加（またはチキソトロピック特性）により、土壌支柱への水の排水を減少させることによって、より安定化され得る。さらに、粘度を増加させる添加剤または最も細かい粒子はまた、懸濁液中の懸濁土壌粒子の沈殿速度（終端速）を減少させ、さらに大きな砂粒の上方への移送を可能にし得る。
【００４４】
これに関連して、これをさらに詳細に説明するために、設置プロセスの間に、杭の内側に噴射システムを使用すると、内部土壌支柱の周りに流体充填環が形成される。この内部土壌支柱は、崩壊しないようにするため、機械的または流体圧力による横方向サポートを必要とする。後者の場合、土壌支柱壁に作用する流体圧力は、土壌支柱が機械的拘束部に与えるであろう圧力よりも大きい必要がある。土壌支柱壁は多孔性であり、土壌支柱は水を流すことができるため、流体圧力からの支持力は、土壌支柱壁の表面領域の圧力勾配によって達成され得る。従って、環内の上昇した圧力の流体は、この移行における圧力勾配が、土壌支柱を安定化するために必要な水平応力を提供する状態で、周囲流体圧力レベルが存在する土壌支柱内に排出される。しかし、非常に浸透性の高い土壌では、この勾配は、要求される水平応力を達成するには小さすぎる場合がある。それにもかかわらず、環内の土壌中の混濁した最も細かい粒子は、水が土壌支柱内に排水するにつれて、土壌支柱表面上にフィルターケーキを形成し得る。これにより、より急な圧力勾配が発生する透過性の低い層となる。あるいは、または組み合わせて、環内の流体の粘度を増加させて、圧力勾配を増強することができる。土壌中の流体動的摩擦による圧力勾配は、流体圧力が土壌粒子骨格に移送され、粒子を粒子接触応力（有効応力）に増大させることを意味する。また、その他の実施形態は、海底表面への水の浸入を排水するために、土壌支柱の垂直方向の透過性を促進するための特徴を含んでもよく、従って、土壌支柱内部に改善された静水圧鉛直圧力分布を提供することも想定される。例えば、基礎は、土壌支柱を通して鉛直孔を穿孔またはパンチするための要素を含み得ることが想定される。これにより、土壌支柱が層状土壌で構成され、特に断続的な粘土層が存在する場合、土壌支柱内の上方排水を減少させることになり、有利であり得る。
【００４５】
土壌圧力を低減させるための流体担体を送達するための上述のノズルの使用にもかかわらず、基礎がより深く打ち込まれるにつれて、土壌のさらなる移動を防止する他の抑制機構が作用する。特に、より深い設置深さでは、土壌懸濁液内の流体圧力は、浸食された土壌表面下の土壌内の周囲水圧よりも著しく大きくなる。これは、基礎のつま先８での支持破壊機構を抑制し、それによってつま先抵抗を増加させる。この問題に対処するために、排出ポンプシステム２４が提供される。特に、杭の設置中、コントローラーは、排出ポンプシステム２４を制御して、内部ボア１５内のウォーターテーブルから水を除去する。これにより、次に、つま先８に隣接する移動した土壌領域での土壌懸濁液圧力を減少させ、それによって、つま先の両側の土壌領域間の圧力差を制御する。
【００４６】
土壌懸濁液圧力の影響は、図５に関連してさらに詳細に説明される。図５は、本発明の第２の実施形態を示す。この第２の実施形態は、第１の実施形態と実質的に同じであるが、提供される基礎は、円錐状のモノパイル式であり、基礎本体２は、円錐状領域２０を有する。
【００４７】
第一の実施形態と同様に、第二の実施形態は、ボア１５内のウォーターテーブルレベルを制御して、それによって基礎のつま先８で支持破壊機構を抑制する土壌懸濁液圧力を低減するための、排出ポンプ（図示せず）を含む。特に、図５は、基礎本体２の遠位端を通る断面概略図を、流体圧力が深さでどのように増加するかを示すプロットとともに示す。図５（ａ）は、ウォーターテーブル１６の高さが制御されていない状態を示し、図５（ｂ）は、ポンプが起動されて、ボア１５内のウォーターテーブル１６の高さを制御する場合を示す。
【００４８】
図５（ａ）に示すように、基礎本体２のつま先８は、海底の土壌１９内に打ち込まれ、流体はノズル１０からポンプで送られる。流体は、基礎ボア１５内の海底まで、および海底を越えて、基礎本体２の側壁に隣接する領域に土壌懸濁液１８を形成する。基礎の内部内に蓄積された海水が逃げられないこの第一のシナリオでは、ボア１５はさらに土壌懸濁液およびノズル１０からの流体で充填される。これにより、基礎の外側の海水の水位１７の上方に位置するボア１５内にウォーターテーブル１６をもたらす。
【００４９】
これに関連して、図５（ａ）のプロット２１によって示されるように、基礎の外側では、流体圧力ｐは、上方の水柱の重量の増加によって深さが増加するにつれて直線的に増加する。プロット２２は、環内の流体圧力を示す。理解されるように、ボア１５内の水圧Ｐｈｙｄｒｏは、水圧が同一の勾配で増加するが、ウォーターテーブル１６のレベルが高いため、外部水圧よりも高い。しかしながら、水が環内の土壌懸濁液１８へと移行する深さでは、圧力勾配は、土壌懸濁液１８の密度の増加によって増加する。従って、急勾配の圧力勾配が、基礎本体２の外側の圧力と比較して、土壌懸濁液内の流体圧力Ｐｓｕｓをはるかに高くする。これは、つま先８の深さにおける、内側プロット２２と外側プロット２１との間の圧力差２３によって表される。結果として、基礎の内部内のこの増加した圧力は、つま先８で支持破壊機構を抑制し、それによってつま先の貫通にさらに抵抗する。すなわち、圧力差２３は、つま先８が深く打ち込まれるにつれて生成される移動力に抵抗する。従って、設置深さが増加するにつれて、つま先設置抵抗を克服し、土壌をボア１５内の高圧土壌領域内に横方向に移動させ続けるために、より大きな駆動力が必要となる。
【００５０】
本発明の実施形態は、つま先８で土壌懸濁液圧力Ｐｓｕｓを下げることによって、上記の問題に対処する。図５（ｂ）は、排出ポンプを使用して土壌懸濁液圧力をいかに下げるかの概略図を示す。水がボア１５から引き出されるにつれて、ウォーターテーブル１６の高さは低くなる。これにより、内部圧力プロット２２の水圧Ｐｈｙｄｒｏ成分の長さが低減および短縮される。結果として、プロット２２の懸濁液圧力Ｐｓｕｓ成分は、はるかに低い流体圧力で開始する。従って、ウォーターテーブル１６の高さを制御することによって、つま先８における流体圧力は、周りの周囲流体圧力により密接に一致し、それによってつま先設置抵抗を最小化するように低減され得る。特に、図５（ｂ）に示すように、つま先８の深さにおける内側プロット２２と外側プロット２１との間の圧力差は最小化される。とは言うものの、つま先８における土壌懸濁液圧力が周囲の土壌における流体圧力よりも著しく低いことを避けるために、ウォーターテーブル１６の高さを制御する必要がある。例えば、圧力が低すぎる場合、つま先の周りの間隙圧力勾配が逆転し、間隙水の浸入につながるため、基礎の外側の周囲の土壌が過度に弱まる場合がある。土壌中の鉛直有効応力がゼロに減少すると、流体破壊が発生する可能性がある。ウォーターテーブルの高さに対する制御は、排出ポンプのポンプ速度を制御することによって達成され得る。ノズル１０での流体流量も制御され得る。
【００５１】
下記に付属する表１（表１−１、表１−２）は、例示的な条件下での本発明の実施形態による例示的な杭基礎のいくつかの例示的な数学的モデルを示す。表１に示したように、深さ５メートルで、設置つま先抵抗は７０トンである。しかし、設置の深さが３０メートルのところでは、杭内のウォーターテーブルの高さを海底上で２７．５ｍから１２．５ｍに減らすことで、この例では、設置つま先抵抗が２０００トン超に増大する代わりに、３６トンに減らすことができる。そのため、杭が深く打ち込まれるとき、設置つま先抵抗を非常に低いレベルに維持できる。
【００５２】
図５に示す実施形態の円錐状領域２０の特徴について説明する。図５の断面図に示すように、基礎本体２はフレア状であり、円錐状領域２０はより狭い直径セクションからより大きな直径端部セクションへと移行する。円錐状領域２０は、外部水位１７の下に位置するが、海底の泥線の上に位置するように構成される。図５（ａ）に示すシナリオでは、内部ウォーターテーブル１６が外部水位１７よりも高い場合、円錐状領域２０は有害な浮力効果を有する。すなわち、ボア１５内のより高い流体圧力のために、円錐状領域２０の内面に対して作用する流体圧力Ｐｈｙｄｒｏは、円錐状領域２０の外面に対して作用する外部流体圧力Ｐｈｙｄｒｏよりも高くなるであろう。これにより、設置の方向に反対に作用する正味の上方浮力をもたらす。しかしながら、ウォーターテーブル１６の内部の高さが低減される図５（ｂ）に示すシナリオでは、円錐状領域２０の内部に対するより低い圧力に対して円錐状領域２０の外部に加わるより高い圧力の間の圧力差によって有益な下向きの力が生成される。従って、排出ポンプのポンプ速度を制御することによって、円錐状領域２０によって生成される下向きの力を制御し得る。
【００５３】
図５に示す上記の実施形態は、ウォーターテーブルの高さを調節することによって、つま先での土壌懸濁液圧力を制御するが、土壌懸濁液圧力を制御する他の手段も想定される。特に、本発明の代替的な実施形態は、排出ポンプが吸引効果を発生させるために使用される、図６に示される。
【００５４】
これに関連して、図６は、本発明の第３の実施形態による基礎の断面概略図を示す。本実施形態では、基礎本体２の環には、上部チャンバー２７とボア１５との間を接続する閉鎖可能なベント２５が設けられる。従って、ベント２５が閉じられていると、ボア１５の上部は、吸引効果を作り出すことができる内部空洞内にドームを提供する。上部チャンバー２７は、水がチャンバーに入ることを可能にするケーブル孔２６を含む。図６（ａ）では、基礎本体２は、水１７のスプラッシュゾーンを通して下降される。ベント２５は、本体２が水１７の中へと下降するにつれて、ボア１５内の空気が押し出されるように開放される。図６（ｂ）では、外側の水がケーブル孔２６を通して上部チャンバー２７に入ると、本体はそれ自体の重量で土壌１６を貫通し始める。ベント２５は、ボア１５内の空気が排出されると閉じられ得る。この段階では、ノズル（図示せず）はまた、ボア１５内の流体を噴射し始め、土壌を通る本体の通路を容易にする。図６（ｃ）では、ポンプシステム（図示せず）は、ボア１５から水を排出し始める。これにより、ボア空洞内部に吸引効果が形成される。特に、ボア１５から水を排出させることによって、水で満たされている上方の上部チャンバー２７からの流体圧力に対して有意な圧力差が生じ得る。これにより、図６（ｄ）に示す、基礎本体をその最終的な侵入深さまで打ち込むためのかなりの下向きの力を生成する一方、つま先抵抗を適度に低いレベルに維持するために必要な懸濁液圧力を減少させる。この最終貫通深さになると、ポンプおよび噴射システムは停止する。実施形態において、ノズルは、基礎を固定するために、環内に注入材を送達するために使用され得る。
【００５５】
外部水位が低すぎてボア１５が水で完全に満たれない設置では、本発明の実施形態は、ボア１５から空気が排出される場合を想定する。この場合、基礎本体は、部分的な真空を作り出すことができるように、その内部空洞の近位端に囲われた屋根を必要とする。空洞内の空気圧を下げることによって、ウォーターテーブルに上向きの吸引効果が適用され、水の流体圧力が下がる。また、これにより、つま先８の土壌懸濁液圧力Ｐｓｕｓが下がる。しかしながら、このような吸引実施形態では、設置深さは、例えば、排出ポンプの出力によって生成され得る部分真空のレベルによって制限され得る。従って、吸引だけでは、より深い設置深さのために、つま先で十分に低い土壌懸濁液圧力を維持することができない場合がある。
【００５６】
上記に加えて、本発明の実施形態は、ウォーターテーブルの高さと吸引力の両方を組み合わせて制御し、杭のつま先８での懸垂圧力を低減させ得ることも理解されるであろう。
【００５７】
従って、本明細書に開示される本発明の配置は、土壌内に基礎をより容易に設置することを可能にすることが理解されるであろう。これにより、コストを削減し、設置時の騒音を最小限に抑えることができる。
【００５８】
これに関連して、本発明の実施形態において、基礎がより深く貫通し、新しい土壌が移動されるにつれて、基礎のつま先での土壌破壊機構は、杭設置プロセスを通して継続される。従って、杭打ちが使用される実施形態では、必要となる杭打ち力が小さいため、より小さい杭打ちハンマーの使用が可能になり、発生するノイズが低減される。基礎が必要とされる深さまで設置された後、流体噴射システムは、オフとなり、懸濁土壌粒子が沈降して、周期的な振とう効果によって時間の経過とともに圧縮し得る堆積物を形成するとき、水が、環から排出されるのを可能にし、それによって土壌を再び安定化することを可能にすることができる。
【００５９】
重要なことに、設置中の流体の送達は、基礎の内部ボア内に局在化される。そのため、基礎本体による横方向圧縮の局所領域を除き、基礎の外側の土壌の構造は、ほとんど乱されない。従って、外部土壌は、基礎を支持するためのその構造を維持することができ、横方向圧縮は、弾性ハーフスペース応力を増加させ、基礎剛性および強度を改善する働きをする。これは、土壌の本体に加圧液体が浸水し、基礎のための空間を掘削する従来の液体掘削技術とは対照的である。この種の従来の方法では、土壌は制御不能な方法で除去され、掘削された場所は、基礎が本来の場所に設置されると、回収された土壌で有効に再充填される。しかし、その空間を再充填する土壌が新たに配置されるため、それは、進展した構造をほとんど有しない。結果として本質的に弱い。
【００６０】
上述の実施形態は、例示の目的のためにのみ本発明の適用を示すことが理解されよう。実際には、本発明は、多くの異なる構成に適用されてもよく、詳細な実施形態は、当業者にとって実施することが簡単である。
【００６１】
例えば、上記の例示的実施形態では、基礎の流体噴射システムは、高圧ノズルおよび低圧ノズルの両方を含むが、本発明は、高圧ノズルのみを使用して実施形態で実施され得ることが理解されるであろう。
【００６２】
さらなる特徴は、駆動抵抗の低減をさらに高め得ることも理解されるであろう。例えば、湾曲した経路上のノズルから噴射された水を上向きに偏向させて、それによって下に吸引効果をもたらすために、エアフォイル形状の偏向器が提供され得る。別の配置では、ノズルの一部は、下向きに面する静水圧に対して圧力を生成するように上向きに角度付けられてもよい。噴出した水のこの上向き方向は、堆積物の上向き移送を促進する。
【００６３】
駆動抵抗をさらに低減するために、流体噴射システムと組み合わせて、追加の機構およびシステムも使用され得ることも理解されるであろう。例えば、基礎は、電気浸透用の電極をさらに組み込んでもよい。さらに、流体噴射システムは、電気浸透システムと相乗的に作用し得る。一例の配置では、土壌支柱の中心の下にスティンガーが提供され、基礎壁の内部表面上にアノードが提供され、ベントナイト溶液が流体噴射システムを使用して注入される。次いで、電極間に電圧を印加して、土壌支柱内に内向きの圧力をかけるための電気浸透効果を生成し得る。これにより、土壌支柱が崩壊するリスクを軽減することができる。さらに、土壌支柱が崩壊した場合、電極の極性を逆転させてフィルターケーキを潤滑することができる。
【００６４】
上記の例示的実施形態では、基礎はモノパイル式であったが、それにもかかわらず、バケット基礎などの他の基礎も可能であることが理解されるであろう。本発明はまた、撤去中の基礎の簡素化された撤去を可能にし得る。特に、ノズルは、引き出される際に基礎の内部表面上の摩擦を低減するために高圧流体を印加するために使用され得る。
【００６５】
最後に、上記の例示的実施形態では、モノパイル基礎を設置するために必要な杭打ち力を低減させるための参照がなされるが、本発明が吸引バケット基礎に適用される実施形態では、代わりに、吸引力を減少させることが、基礎を吸引圧力下で設置するのに必要であることが理解されるであろう。
【００６６】
【表１−１】
2021523312.tif 000003
【００６７】
【表１−２】
2021523312.tif 000004
【符号の説明】
【００６８】
１…基礎  ２…本体（基礎本体）  ３…外部側面（外部表面）  ４…内部側面  ５…低圧供給パイプ  ６…高圧供給パイプ  ７…段差  ８…つま先  ９…高圧マニホールド  １０…水ノズル  １１…開口部  １２…低圧マニホールド  １３…ベント（低圧ベント）  １４…土壌領域  １５…ボア（内部ボア）  １６…ウォーターテーブル  １７…水位（水）  １８…土壌懸濁液  １９…土壌  ２０…円錐状領域  ２１、２２…プロット  ２３…圧力差  ２４…排出ポンプシステム  ２５…ベント  ２６…ケーブル孔  ２７…上部チャンバー  ｐ…流体圧力  Ｐｈｙｄｒｏ…水圧  Ｐｓｕｓ…土壌懸濁液圧力
【図１】
2021523312.tif 000005
【図２】
2021523312.tif 000006
【図３】
2021523312.tif 000007
【図４】
2021523312.tif 000008
【図５】
2021523312.tif 000009
【図６】
2021523312.tif 000010
【手続補正書】
【提出日】令和2年2月21日(2020.2.21)
【手続補正１】
【補正対象書類名】特許請求の範囲
【補正対象項目名】全文
【補正方法】変更
【補正の内容】
【特許請求の範囲】
【請求項１】
構造の基礎であって、
設置中に挿入方向に土壌に挿入するための本体であって、前記本体がその遠位端につま先を有し、前記つま先が内部空洞内に開口部を画定し、前記土壌を通る前記つま先の移動が前記内部空洞内の移動された土壌領域へと土壌を横方向に移動させる、本体と、
前記移動された土壌領域から土壌を移送するために、設置中に前記移動された土壌領域に流体を向ける１つまたは複数のノズルと、
前記移動された土壌領域内の土壌懸濁液圧力を低減するために、設置中に前記内部空洞から流体を排出するためのポンプシステムと、を含み、
前記１つまたは複数のノズルは、前記内部空洞内の前記流体を局所化するように構成されていることを特徴とする基礎。
【請求項２】
前記ポンプシステムが、前記内部空洞から水を排出する、請求項１に記載の基礎。
【請求項３】
前記ポンプシステムが、前記内部空洞から空気を排出する、請求項１または２に記載の基礎。
【請求項４】
前記移動された土壌領域内の前記土壌懸濁液圧力を、前記本体外側の前記土壌である隣接領域内の流体圧力に実質的に一致させるために、設置中に前記ポンプシステムを制御するためのコントローラーをさらに含む、請求項１ないし３のいずれか１項に記載の基礎。
【請求項５】
前記コントローラーが、前記ポンプシステムを制御して、前記内部空洞内のウォーターテーブルの高さを前記本体の外側の水位よりも下方に減少させる、請求項４に記載の基礎。
【請求項６】
前記本体が、前記基礎の直径が増大する円錐状領域を含む、請求項１ないし５のいずれか１項に記載の基礎。
【請求項７】
前記基礎が中空の杭基礎である、請求項１ないし６のいずれか１項に記載の基礎。
【請求項８】
前記つま先が先細りである、請求項１ないし７のいずれか１項に記載の基礎。
【請求項９】
前記１つまたは複数のノズルが、前記本体の内部表面に流体を向けるために前記本体の外周に対して実質的に接線方向に向けられる、請求項１ないし８のいずれか１項に記載の基礎。
【請求項１０】
前記１つまたは複数のノズルが複数のノズルを含み、前記複数のノズルが前記本体の内部表面の周りに分配される、請求項１ないし９のいずれか１項に記載の基礎。
【請求項１１】
前記１つまたは複数のノズルは、挿入方向に対して９０〜１８０度の範囲に向けられる、請求項１ないし１０のいずれか１項に記載の基礎。
【請求項１２】
構造基礎システムであって、
請求項１ないし１１のいずれか１項に記載の基礎と、
前記流体を前記ノズルに供給するための加圧流体供給装置と、を含むことを特徴とする構造基礎システム。
【請求項１３】
請求項１ないし１１のいずれか１項に記載の基礎を設置する方法であって、
前記つま先を前記土壌に挿入するステップと、
前記挿入方向に前記本体を押すステップと、
前記ノズルに前記流体を供給して、前記移動された土壌領域に前記流体を向けるステップと、
前記ポンプシステムを駆動して、前記流体を前記内部空洞から排出し、前記移動された土壌領域内の土壌懸濁液圧力を減少させるステップと、を含むことを特徴とする基礎を設置する方法。
【請求項１４】
前記移動された土壌領域内の前記土壌懸濁液圧力を、前記本体外側の前記土壌である横方向に隣接する領域内の流体圧力に実質的に一致させるために、前記ポンプシステムを制御するステップをさらに含む、請求項１３に記載の方法。
【請求項１５】
前記ポンプシステムを制御するステップが、前記ポンプシステムを制御して、前記内部空洞内のウォーターテーブルの高さを前記本体の外側の水位よりも下方に減少させることを含む、請求項１３または１４に記載の方法。
【国際調査報告】
2021523312.tif 000011
2021523312.tif 000012